(57)【要約】【課題】  浴槽の内壁を洗浄する時、装置本体を浴槽内の何れの位置に配置しても、装置本体の移動時における移動操作を自在なものとして、その作業性を向上することができる。また、保持アームの構成を簡素化して、コスト面で抑制するとともに、その構成の耐久性を向上させることができる浴槽洗浄機を提供する。【解決手段】  装置本体１を浴槽の内壁に押圧して洗浄する洗浄ブラシ２と、この洗浄ブラシ２を回転駆動する駆動手段３と、装置本体１を定荷重で保持する保持アーム４と、装置本体１を把持して移動させる把持柄５とを有する浴槽洗浄機において、前記保持アームを前記装置本体の下端面に突設して設け、この装置本体を定荷重バネの付勢力で押し出して保持させている。【選択図】図２
2011056204.tif 000002
【特許請求の範囲】
【請求項１】
装置本体を浴槽の内壁に押圧して洗浄する洗浄ブラシと、
この洗浄ブラシを回転駆動する駆動手段と、
前記装置本体を定荷重で保持する保持アームと、
前記装置本体を把持して移動させる把持柄とを有する浴槽洗浄機において、
前記保持アームを前記装置本体の下端面に突設して設け、この装置本体を定荷重バネの付勢力で押し出して保持させるとともに、前記把持柄の内部に前記保持アームを前記定荷重バネとともに収納させることを特徴とする浴槽洗浄機。
【発明の詳細な説明】
【発明の詳細な説明】
【技術分野】
【０００１】  本発明は、一般家庭の浴槽の内壁を洗浄する浴槽洗浄機に関するものである。
【背景技術】
【０００２】  従来、一般家庭の浴槽を洗浄するに際しては、洗浄用のブラシやスポンジなどを用いた手作業で行っていたが、この洗浄作業は、腰を曲げながらの無理な姿勢で浴槽の表面を擦り洗いしなければならないので、かなりの重労働を強いられることになるばかりか、洗浄に思い通りの操作が困難であった。そこで、近年では、作業者の労力を軽減し、作業性を向上した浴槽洗浄機が知られている。【０００３】  本発明の背景となる従来の浴槽洗浄機には、例えば本出願人本人が先に出願したもので、特許文献１に示されるように、電動式浴槽洗浄装置の装置本体を浴槽の上縁面に吊下げ、浴槽の内壁に押圧して洗浄する洗浄手段と、この洗浄手段を回転駆動させるための駆動手段と、上記装置本体を定荷重で保持する保持手段とを備え、この保持手段は、上記装置本体が何れの高さ位置にあっても、上記装置本体の重さと略均衡して保持するように構成されているものが知られている。【０００４】
【特許文献１】特開２００９−１１９２０８号公報
【発明の開示】
【発明が解決しようとする課題】
【０００５】  上記特許文献１に開示の電動式浴槽洗浄装置は、浴槽の内壁を洗浄する時、装置本体の保持手段を浴槽の上縁面に吊下げて移動させるため、装置本体の移動に制約があり、思い通りの操作性を十分に満足することができないものであり、移動操作性に問題があった。また、装置本体を定荷重で保持する保持手段の構成が比較的複雑で、コスト面で十分に満足することができないばかりか、構造面での耐久性を満足することができないものであった。【０００６】  本発明は、上記課題に鑑みてなされたものであり、浴槽の内壁を洗浄する時、装置本体を浴槽内の何れの位置に配置しても、装置本体の移動時における移動操作を自在なものとして、その作業性を向上することができる。また、保持アームの構成を簡素化して、コスト面で抑制するとともに、その構成の耐久性を向上させることができる浴槽洗浄機を提供することを目的とする。
【課題を解決するための手段】
【０００７】  本発明の請求項１に記載の浴槽洗浄機は、装置本体を浴槽の内壁に押圧して洗浄する洗浄ブラシと、この洗浄ブラシを回転駆動する駆動手段と、前記装置本体を定荷重で保持する保持アームと、前記装置本体を把持して移動させる把持柄とを有する浴槽洗浄機において、前記保持アームを前記装置本体の下端面に突設して設け、この装置本体を定荷重バネの付勢力で押し出して保持させるとともに、前記把持柄の内部に前記保持アームを前記定荷重バネとともに収納させることを特徴とするものである。
【発明の効果】
【０００９】  本発明の請求項１に記載の浴槽洗浄機は、以上のように構成することにより、装置本体をコンパクトに形成することができる。また、保持アームを簡単な構成で、コスト面の抑制ができるとともに、作業性の向上および耐久性の向上が図られる。
【発明を実施するための最良の形態】
【００１０】  以下、本発明に係る浴槽洗浄機の実施例を図面に基づいて説明する。
【実施例】
【００１１】  図１は、本発明に係る浴槽洗浄機の実施例の装置本体を示す斜視図である。図２は、図１に示す同装置本体の一部を切断した状態で示す縦断面図である。図３は、同装置本体の保持アームが収納された状態で示す一部切断、一部破断の側面図である。図４は、図２の線ＩＩ−ＩＩにおける拡大断面図である。図５は、図３の線ＩＩＩ−ＩＩＩにおける拡大断面図である。図６は、図１〜図５に示す浴槽洗浄機の使用状態を説明する斜視図である。【００１２】  この浴槽洗浄機の装置本体１は、図１〜図６に示すように、浴槽Ｔの内壁Ｔｓに押圧して洗浄する洗浄ブラシ２と、この洗浄ブラシ２を回転駆動する駆動手段３と、装置本体１を定荷重で保持する保持アーム４と、装置本体１を把持して移動させる把持柄５とを有する。保持アーム４を装置本体１の下端面に突設し、浴槽Ｔの底面Ｔｂに立接して設け、装置本体１を定荷重バネ６の付勢力で押し出して保持させるとともに、把持柄５の内部に保持アーム４を定荷重バネ６とともに収納させるように構成されている。【００１３】  保持アーム４は、例えば図２及び図４に示すように、横幅方向に湾曲した細長い薄帯板状の湾曲鋼帯４１と、定荷重バネ６とで構成されている。この湾曲鋼帯４１の後端部と、定荷重バネ６の先端部とは、共に保持アーム４の内端部に固設されて保持アーム４を先端方向に押圧させている。この湾曲鋼帯４１は、把持柄５の内部に途中より屈曲して収納されている。保持アーム４は、長手縦方向に垂直に力が加わったときには、この湾曲鋼帯４１の弾性力により直線方向の折れ曲を防止するように湾曲させて屈曲補強されている。横方向に屈曲させる力を加えたときには、所定の屈曲半径において容易に折り曲げることができる。この折り曲げ位置では、保持アーム４全体の長さを変えずに小さい力で保持アーム４の形を変えて進退自在に移動させることができる。したがって、湾曲鋼帯４１を把持柄５の内部に収納させる場合には折れ曲りを防止して容易に出し入れすることができる。なお、湾曲鋼帯４１は、湾曲した細長い薄帯板状の湾曲鋼帯を二枚重ね合せて、更に屈曲補強されたものであってもよい。また、湾曲鋼帯４１に替えて、細鋼線材を直線棒状に密着巻きしたコイル状ばね棒であってもよい。【００１４】  装置本体１は、例えば図２に示すように、箱形のケース７の前部７ａを水密構造体として、この前部７ａの内部に駆動手段３としての減速機付の直流モータ３１と、このモータ３１を駆動するための電源である電池３２が収納されている。このモータ３１の駆動軸３１ａは、ケース７の前部７ａの内部から水密性を保つ回転シールを介してケース７の前面外部に突出している。駆動軸３１ａの先端部には、洗浄ブラシ２が固定されている。この洗浄ブラシ２は、駆動軸３１ａと同心軸の円板状回転体で、中心部を空洞として、前面部に洗浄効果が高く、浴槽を傷付けにくいスポンジ等によるブラシ部２ａを設け、中心部に駆動軸３１ａと着脱自在に取り付けるための台板２ｂを一体的に形成して設けている。ブラシ部２ａの外径は、台板２ｂの外径より大径としている。【００１５】  ケース７の背面には、装置本体１を浴槽Ｔの内壁Ｔｓに沿って把持して移動させるための把持柄５を設けている。この把持��５は、角筒状の柄パイプ５１の一端をケース７の背面部に固定して斜め上方に伸ばし、他端の先端部は柄パイプ５１を延長して内部空洞に配設されている。【００１６】  また、保持アーム４は、ケース７の背面部７ｂの下端面に突設して、上下方向に進退自在に設け、装置本体１の重さを定荷重バネ６の付勢力で押し出して保持させるとともに、この保持アーム４の内部端を下端方向に一定の力で付勢する定荷重ばね６が設けられている。したがって、装置本体１の重さを保持アーム４により定荷重バネ６の付勢力で均衡して保持させるものである。保持アーム４の下端部は、浴槽Ｔの底面Ｔｂに略垂直に立接させるように設けられている。また、保持アーム４の下端には、移動自在なボールキャスター４２が取付けられている。このボールキャスター４２は、接地面を球状のコロで形成されて、前後、左右自在に移動させることができるものである。【００１７】  定荷重バネ６は、例えば図２に示すように、薄帯状の板ばねを所定の巻径で成形された帯板６１を巻取ドラム内に密着して巻き取られたもので、帯板６１を引出した長さに係らず常に一定の力で巻戻して付勢する定復元力作用を有するものである。この帯板６１の先端部は、保持アーム４の内部端に固定されている。また、巻取ドラムは、ケース７の背面部７ｂの両側壁に回転自在に軸支されている。【００１８】  定荷重バネ６の帯板６１と、ケース７の背面部７ｂ内の上部で所定の半径で折り曲げて設けられた保持アーム４とは、例えば図２及び図３に示すように、把持柄５の内部に摺動自在に収納されている。保持アーム４及び帯板６１の内部端は、ロック部材６２に固定されて一体的に移動できるものとされている。保持アーム４は、内部端を定荷重バネ６の付勢力で付勢されて、ケース７の下方向の下端まで押し出されている。ロック部材６２は、柄パイプ５１内部の突起片５１ａによりこれ以上の移動を阻止されている。【００１９】  把持柄５の内部には、例えば図３に示すように、把持柄５内後端に上下方向に摺動自在なフック部材５２が設けられ、押バネ５３により下方向に付勢されている。保持アーム４を定荷重バネ６の付勢力に抗してケース７の下端面に当接するように上端まで押し上げたときは、ロック部材６２の後端部に設けられた角孔６２ａがフック部材５２に結合されて保持アーム４の復帰を阻止している。フック部材５２の下面には、勾配面が設けられている。把持柄５内の上部には、前後に摺動自在なスライド部材５４が脱落を阻止（図示しない）して設けられている。このスライド部材５４の後端部には、勾配面を設け、この勾配面とフック部材５２の勾配面とを当接させている。また、スライド部材５４の前端部には、把持柄５の外部上面に突出して前後に移動自在でスライド部材５４と一体的なロック解除釦５４ａが配設されている。【００２０】  また、把持柄５には、モータ３１の駆動を開閉するスイッチ５５が防水構造的（図示しない）に設けられ、柄パイプ５１内を通してモータ３１及び電池３２に結線（図示しない）されている。【００２１】  洗浄ブラシ２は、ポリプロピレン等の樹脂製のブラシ毛を植毛して回転円板状に形成したものであってもよい。また、把持柄５は、ケース７との取付け部で折り曲げ自��に設ければ、洗浄作業性がさらに良くなるものとなる。なお、電池３２は、外部から充電できるように、充電可能な二次電池であることが望ましい。また、装置本体１への電源供給を電池３２に替えて、外部から配線により供給するようにしてもよい。【００２２】  次に、上記のように構成されている浴槽洗浄機の動作について説明する。【００２３】  まず、装置本体１の保持アーム４を浴槽Ｔの底面Ｔｂに立接させるとともに、把持柄５を把持して洗浄ブラシ２を浴槽Ｔの内壁Ｔｓの任意の位置に配置する。つぎに、把持柄５のスイッチ５５をオンとすると、モータ３１が回転を開始し、モータ３１の駆動軸３１ａに取り付けられた洗浄ブラシ２の回転が開始する。【００２４】  保持アーム４は、定荷重バネ６の付勢力により、装置本体１の下方向に押し出され、下端部が浴槽Ｔの底面Ｔｂに垂直に立接して装置本体１を保持する。したがって、保持アーム４は、装置本体１の重さを定荷重バネ６の定荷重で保持する作用により、洗浄ブラシ２を浴槽Ｔの内壁Ｔｓ面に当接させて任意の高さ位置で保持できる。また、装置本体１は、保持アーム４の先端部に取り付けられたボールキャスター４２により、装置本体１の重さを殆ど感じることなしに前後、左右自在に移動（図６の矢印Ｚ方向）させることができる。【００２５】  すなわち、図６に使用状態を示すように、装置本体１を任意の高さ位置に保持して、装置本体１の把持柄５を把持して洗浄ブラシ２を浴槽Ｔの内壁Ｔｓに適当な強さで押圧（図６の矢印Ｘ方向）した状態で、洗浄ブラシ２を内壁Ｔｓ面に沿って上下、左右方向自在に移動（図６の矢印Ｙ方向）させて内壁Ｔｓを洗浄することができる。また、装置本体１を浴槽Ｔの内壁Ｔｓの他の内壁Ｔｓ面に位置を変える場合には、把持柄５を把持したまま装置本体１を任意の位置に移動させることができる。このようにして、浴槽Ｔの内壁Ｔｓ面の全面を洗浄することができる。【００２６】  保持アーム４を定荷重バネ６の付勢力に抗して、洗浄ブラシ２を浴槽Ｔの底面Ｔｂに立接する下端まで移動させた後、さらに、把持柄５を下方向に押し下げて保持アーム４を最終端まで移動させれば、保持アーム４は把持柄５の内部に押し込まれて収納される。このとき、図３に示すように、保持アーム４の内部端のロック部材６２の角孔６２ａは、把持柄５内後端のフック部材５２に結合されて保持アーム４の復帰が阻止される。また、この状態から、把持柄５上部のロック解除釦５４ａを後方向に移動させれば、ロック解除釦５４ａの勾配面がフック部材５２の勾配面と当接されているため、フック部材５２は押バネ５３の付勢力に抗して上方向に移動して、ロック部材６２とフック部材５２の結合が解除されて、保持アーム４は装置本体１の下方向に押し出される。【００２７】  また、保持アーム４を把持柄５の内部に収納した状態においては、装置本体１を単独で使用することができるため、従来の浴槽洗浄機と同じように浴槽の底面や、他の浴室壁面も洗浄することができるものとなる。
【図面の簡単な説明】
【００２８】
【図１】本発明に係る浴槽洗浄機の実施例の装置本体を示す斜視図である。
【図２】図１に示す同装置本体の一部を切断した状態で示す縦断面図である。
【図３】同装置本体の保持アームが収納された状態で示す一部切断、一部破断の側面図である。
【図４】図２の線ＩＩ−ＩＩにおける拡大断面図である。
【図５】図３の線ＩＩＩ−ＩＩＩにおける拡大断面図である。
【図６】図１〜図５に示す浴槽洗浄機の使用状態を説明する斜視図である。
【符号の説明】
【００２９】１    装置本体
２    洗浄ブラシ
３    駆動手段
３１  モータ
３２  電池
４    保持アーム
４１  湾曲鋼帯
５    把持柄
６    定荷重バネ
６１  帯板
７    ケース
Ｔ    浴槽
Ｔｓ  内壁
Ｔｂ  底面
【図１】
2011056204.tif 000003
【図２】
2011056204.tif 000004
【図３】
2011056204.tif 000005
【図４】
2011056204.tif 000006
【図５】
2011056204.tif 000007
【図６】
2011056204.tif 000008